(57)【要約】      （修正有）【課題】アナターゼ型酸化チタン光触媒を用いて、光触媒による炭酸ガスの発生効率を高くし、蚊の捕集効率を高くする蚊取り器を提供する。【解決手段】酸化チタン光触媒を用いた蚊取り器１は、有機ガスを発生する有機ガス供給部１０と、紫外線を照射する紫外線照射部２０と、紫外線を受光し、有機ガスを分解して炭酸ガスを発生させるアナターゼ型酸化チタン光触媒シート３１を有する光触媒部３０と、有機ガス供給部１０、紫外線照射部２０及び光触媒部３０を収納し、窓４１を有する収納容器４０と、窓４１を覆い、蚊が通れる寸法より少し大きい寸法の網目を有する蚊選別ネット５０と、網目を通り収納容器４０内に侵入した蚊を捕集する捕集部６０とを備える。【選択図】図１
2019004886.tif 000002
【特許請求の範囲】
【請求項１】
有機ガスを発生する有機ガス供給部と；
紫外線を照射する紫外線照射部と；
前記紫外線を受光し、前記有機ガスを分解して炭酸ガスを発生させるアナターゼ型酸化チタン光触媒シートを有する光触媒部と；
前記有機ガス供給部、前記紫外線照射部及び前記光触媒部を収納し、窓を有する収納容器と；
前記窓を通り前記収納容器内に侵入した蚊を捕集する捕集部とを備える；
酸化チタン光触媒を用いた蚊取り器。
【請求項２】
前記アナターゼ型酸化チタン光触媒シートは、アナターゼ型酸化チタン粒子を担持した光触媒シートであって、片面又は両面から非周期的パターンによるエッチング処理を施して表裏を貫通する多数の微細流路が形成された非周期性海綿構造を有するチタン箔の表面に、陽極酸化被膜による酸化チタンベースが形成され、当該酸化チタンベースにアナターゼ型酸化チタン粒子が焼き付けられた光触媒シートである；
請求項１に記載の酸化チタン光触媒を用いた蚊取り器。
【請求項３】
前記有機ガス供給部はアルコールを含浸した第１の繊維質シートと乳酸を含浸した第２の繊維質シートと、前記アルコールを収容するアルコール漕及び前記乳酸を収容する乳酸漕と、前記アルコール漕から前記第１の繊維質シートに前記アルコールを導く第１の有機液伝送具と、前記乳酸漕から前記第２の繊維質シートに前記乳酸を導く第２の有機液伝送具とを有する；
請求項１又は請求項２に記載の酸化チタン光触媒を用いた蚊取り器。
【請求項４】
前記捕集部は、前記蚊を粘着する粘着シート又は前記蚊を吸引する吸引器を有する；
請求項１ないし請求項３のいずれか１項に記載の酸化チタン光触媒を用いた蚊取り器。
【請求項５】
前記紫外線の波長は、３８８ｎｍ以下である；
請求項１ないし請求項４のいずれか１項に記載の酸化チタン光触媒を用いた蚊取り器。
【請求項６】
前記窓を覆い、蚊が通れる寸法より少し大きい寸法の網目を有する蚊選別ネットをさらに含み、前記寸法が、１０ｍｍ〜１５ｍｍである；
請求項１ないし請求項５のいずれか１項に記載の酸化チタン光触媒を用いた蚊取り器。
【発明の詳細な説明】
【技術分野】
【０００１】
本発明は蚊取り器に関する。詳しくは酸化チタン光触媒を用いた蚊取り器に関する。
【背景技術】
【０００２】
従来の酸化チタンと紫外線を用いた蚊取り器は、例えば特許文献１により開示されている。酸化チタン層に付着した汚れ等を活性酸素又はオゾンガスにより炭酸ガスに分解しているが、赤外線で加熱して分解を促進している。また、紫外線で集めて吸い取る吸引方式の蚊取り器が市販されている。また、炭酸ガスボンベを用いた蚊取り器も市販されている。しかしながら、思うような効果が得られないという問題があった。また、炭酸ガスボンベを用いる方法ではボンベの交換に手間がかかる、ボンベが重く移動が困難という問題があった。
【０００３】
ところで、発明者達は、顕著な有機ガス分解効率を有するアナターゼ型酸化チタン光触媒シートを開発した（特許文献２参照）。また、アナターゼ型酸化チタン光触媒シートを多数の微細流路が形成された非周期性海綿構造とすることにより、有機ガス分解効率をさらに向上させた。そこで、発明者等が開発したアナターゼ型酸化チタン光触媒シートを蚊取り器に適用して、有機ガスの分解効率、すなわち炭酸ガスの発生効率を上げて、蚊の捕集効率を向上することとした。
【先行技術文献】
【特許文献】
【０００４】
【特許文献１】特開２００９−９５２５７号公報
【特許文献２】特許第５４７４６１２号公報
【発明の概要】
【発明が解決しようとする課題】
【０００５】
アナターゼ型酸化チタン光触媒を用いて、光触媒による炭酸ガスの発生効率を高くし、蚊の捕集効率を高くする蚊取り器を提供することを目的とする。
【課題を解決するための手段】
【０００６】
本発明の第１の態様に係る酸化チタン光触媒を用いた蚊取り器１は、例えば図１に記載のように、有機ガスを発生する有機ガス供給部１０と、紫外線を照射する紫外線照射部２０と、紫外線を受光し、有機ガスを分解して炭酸ガスを発生させるアナターゼ型酸化チタン光触媒シート３１を有する光触媒部３０と、有機ガス供給部１０、紫外線照射部２０及び光触媒部３０を収納し、窓４１を有する収納容器４０と、窓４１を覆い、蚊が通れる寸法より少し大きい寸法の網目を有する蚊選別ネット５０と、網目を通り収納容器４０内に侵入した蚊を捕集する捕集部６０とを備える。
【０００７】
ここにおいて、有機ガスとはアルコール、アセトン、トルエン等有機溶剤から発生するガスをいう。分解すると炭酸ガスと水蒸気になる。本願では揮発しやすく、炭酸ガスに分解しやすい低分子アルコールガスが好ましい。また、乳酸は蒸気圧が低いが、少量ではあるが揮発するので、有機ガスには乳酸ガスも含まれるものとする。アナターゼ型酸化チタン光触媒シートとは、典型的には、アナターゼ型酸化チタン光触媒を担持したチタン箔をシート状にしたものをいうが、アナターゼ型酸化チタン光触媒を担持したシート状のものであれば良い。また、蚊が通れる寸法より少し大きい寸法とは、殆どの蚊が細長い体系で１５ｍｍ以下であり、羽をすぼめて通ることも可能であることから、例えば１０ｍｍ〜１５ｍｍとする。
本態様のように構成すると、有機ガスを分解して炭酸ガスを発生させる効率が非常に高いアナターゼ型酸化チタン光触媒を使用するので、蚊の捕集効率が高い蚊取り器を提供できる。
【０００８】
本発明の第２の態様に係る酸化チタン光触媒を用いた蚊取り器１は、第１の態様において、例えば図２に示すように、アナターゼ型酸化チタン光触媒シート３１は、アナターゼ型酸化チタン粒子３６を担持した光触媒シート３１であって、片面又は両面から非周期的パターンによるエッチング処理を施して表裏を貫通する多数の微細流路が形成された非周期性海綿構造を有するチタン箔３３の表面に、陽極酸化被膜３９による酸化チタンベース３５が形成され、酸化チタンベース３５にアナターゼ型酸化チタン粒子３６が焼き付けられた光触媒シート３１である。
【０００９】
ここにおいて、多数の微細流路が形成された非周期性海綿構造とは、必ずしも海綿と同じ構造に限られず、流路が多数形成され、かつ網目状に張り巡らされた周期性のない不規則な構造であれば良い。なお、周期性のない不規則性は、ミクロな範囲についてあれば良く、マクロな範囲では周期性があっても良い。
本態様のように構成すると、光触媒シート３１は表裏を貫通する多数の微細流路３４が形成されており、光触媒層３７の表面積が増える。これにより、触媒による分解効率が格段に向上し、蚊の捕集効率も格段に向上する。また、陽極酸化被膜による酸化チタンベース３５と光触媒層３７は、結合性が極めて強く、光触媒層３７が剥がれ難く、蚊取り器を長寿命にできる。
【００１０】
本発明の第３の態様に係る酸化チタン光触媒を用いた蚊取り器１は、第１の態様又は第２の態様において、例えば図１に記載のように、有機ガス供給部１０はアルコールを含浸した第１の繊維質シート１１Ａと、乳酸を含浸した第２の繊維質シート１１Ｂと、アルコールを収容するアルコール漕１２及び乳酸を収容する乳酸漕１３と、アルコール漕１２から第１の繊維質シート１１Ａにアルコールを導く第１の有機液伝送具１４Ａと、乳酸漕１２から第２の繊維質シート１１Ｂに乳酸を導く第２の有機液伝送具１４Ｂとを有する。
【００１１】
ここにおいて、第１の繊維質シート１１Ａ、第２の繊維質シート１１Ｂに含浸される有機液は、それぞれ、アルコール、乳酸を含めば良く、酒、牛乳でも良い。
本態様のように構成すると、本態様において供給されるガスは炭酸ガスと乳酸を含むので、蚊を多く集められる。
【００１２】
本発明の第４の態様に係る酸化チタン光触媒を用いた蚊取り器１は、第１の態様ないし第３の態様のいずれかにおいて、例えば図１又は図５に示すように、捕集部６０は蚊を粘着する粘着シート６１又は蚊を吸引する吸引器６２を有する。
このように構成すると、蚊を効率的に捕集できる。
【００１３】
本発明の第５の態様に係る酸化チタン光触媒を用いた蚊取り器１は、第１の態様ないし第４の態様のいずれかにおいて、前記紫外線の波長は、３８８ｎｍ以下である。
このように構成すると、酸化チタン光触媒から発生する活性種にアルコール等の有機ガスを分解させて炭酸ガスを発生させられる。
【発明の効果】
【００１４】
本発明によれば、光触媒による炭酸ガスの発生効率が高く、蚊の捕集効率が高いアナターゼ型酸化チタン光触媒を用いた蚊取り器を提供できる。
【図面の簡単な説明】
【００１５】
【図１】本実施例における酸化チタン光触媒を用いた蚊取り器の構成例を示す図である。
【図２】酸化チタン光触媒シートの構成例を示す図である。
【図３】実施例２における酸化チタン光触媒シートの構成例を示す図である。
【図４】実施例３における酸化チタン光触媒シートの構成例を示す図である。
【図５】実施例４における酸化チタン光触媒を用いた蚊取り器の構成例を示す図である。
【図６】実施例５における酸化チタン光触媒を用いた蚊取り器の構成例を示す図である。
【図７】実施例８における酸化チタン光触媒を用いた蚊取り器の構成例を示す図である。
【発明を実施するための形態】
【００１６】
図面を参照して以下に本発明の実施の形態について説明する。なお、各図において、互いに同一又は相当する部分には同一符号を付し、重複した説明は省略する。
【実施例１】
【００１７】
〔構成〕
図１に本実施例における酸化チタン光触媒を用いた蚊取り器１の構成例を示す。図１（Ａ）は蚊取り器の断面図、図１（Ｂ）は分解斜視図、図１（Ｃ）は外観斜視図である。蚊取り器１は、有機ガス供給部１０、紫外線照射部２０、光触媒部３０、収納容器４０、蚊選別ネット５０、捕集部６０、電気供給部７０、制御部７２を備える。
【００１８】
有機ガス供給部１０は有機ガスを発生する。有機ガス供給部１０は繊維質シート１１（第１、第２の繊維質シート１１Ａ，１１Ｂ）、アルコール漕１２、乳酸漕１３、有機液伝送具１４（第１、第２の有機液伝送具１４Ａ，１４Ｂ）、を有する。例えば、アルコール漕１２にアルコールを含む有機液としての酒を収容しておく。アルコール漕１２の上にはシート置台６５が設置され、シート置台６５上に第１の繊維質シート１１Ａとしての第１の布製シートが敷かれる。第１の布製シート１１Ａの一端は第１の有機液伝送具１４Ａとして下に垂らされアルコール漕１２内の酒に浸漬される。そしてアルコール漕１２から酒を第１の布製シート１１Ａに毛管現象により吸い上げる。これにより、第１の布製シート１１Ａは酒を含浸したものとなる。そして、第１の布製シート１１Ａからアルコールが揮発する（２０℃でのエタノールの蒸気圧は０．０５８気圧）。また、乳酸漕１３に乳酸を含む有機液としての牛乳を収容しておく。乳酸漕１３の上にはシート置台６５が設置され、シート置台６５上に第２の繊維質シート１１Ｂとしての第２の布製シートが敷設される。第２の布製シート１１Ｂの一端は第２の有機液伝送具１４Ｂとして下に垂らされ乳酸漕１３内の牛乳に浸漬される。そして乳酸漕１３から牛乳を第２の布製シート１１Ｂに毛管現象により吸い上げる。これにより、第２の布製シート１１Ｂは牛乳を含浸したものとなる。そして、第２の布製シート１１Ｂから乳酸が揮発する（２０℃での乳酸の蒸気圧は３．９×１０−６気圧）。
【００１９】
紫外線照射部２０は紫外線を照射する。紫外線照射部２０として、例えば、紫外線ＬＥＤ等の紫外線ランプが使用される。本実施例では紫外線ＬＥＤを使用し、有機ガス供給部１０の上方に設置され、有機ガス供給部１０の方向に照射する。紫外線はアナターゼ型酸化チタンのバンドギャップ３．２ｅＶに相当する３８８ｎｍ以下の波長のものを使用できる。例えば、１０ｃｍ×１０ｃｍボードの下面に５ｍｍφ、ピーク波長３７５ｎｍの紫外線ＬＥＤを４×４＝１６個配置する。リード線はボードの上側に配線して引き出し、まとめて操作盤７２を介して電気供給部７０に導かれる。
【００２０】
光触媒部３０は紫外線を受光し、有機ガス（アルコールガス等）を分解して炭酸ガスを発生させるアナターゼ型酸化チタン光触媒シート３１を有する。この光触媒シート３１は有機ガス供給部１０と紫外線照射部２０の間に敷設される。すなわち、繊維質シート１１上にスペーサ３２を介して敷設される。紫外線照射部２０とアナターゼ型酸化チタン光触媒シート３１はアナターゼ型酸化チタン光触媒を担持するシートである。アナターゼ型酸化チタンは波長３８８ｎｍ以下の紫外線を受光すると、強い酸化力を持つヒドロキシルラジカル（ＯＨラジカル）を生成し易い正孔と強い還元力を持つスーパーオキサイドアニオンを生成し易い電子が発生する。アナターゼ型酸化チタンは間接遷移型半導体であるため、正孔と電子は即座に再結合せず、直接遷移型のルチル型酸化チタンに比して電子の寿命は１０倍以上（１０ｎｓ）になる。ヒドロキシルラジカル、スーパーオキサイドアニオン、正孔、電子等の活性種は第１の繊維質シート１１Ａから揮発したアルコールを炭酸ガス及び水蒸気に分解する。アナターゼ型酸化チタンでは正孔及び電子が長寿命であるため、活性種を発生し続け、アルコールの分解を促進する。分解速度定数は１．８０〜１．８６と抜群の処理能力を示し、分解効率が著しく高い。スペーサ３２は、例えばプラスチック製で四の字型の枠体で構成し、繊維質シート１１（第１、第２の繊維シート１１Ａ，１１Ｂ）上に置かれて、アナターゼ型酸化チタン光触媒シート３１を搭載支持する。光触媒シート３１が直接繊維質シート１１に接触しないように支持すればよく、高さを例えば１０〜３０ｍｍ等、ある程度自由に設定できる。
【００２１】
図２に酸化チタン光触媒シートの構成例を示す。アナターゼ型酸化チタン光触媒シート３１は、アナターゼ型酸化チタン粒子３６を担持した光触媒シートである。基板としてチタン箔３３を使用し、その片面又は両面から非周期的パターンによるエッチング処理を施すことにより、表裏を貫通する多数の微細流路３４が形成されている。これにより、当該チタン箔３３は非周期性海綿構造を有するものとなっている。かかる非周期性海綿構造を有するチタン箔３３の表面に陽極酸化を施すことにより、陽極酸化被膜による酸化チタンベース３５が形成されている。陽極酸化被膜はチタン箔３３の表裏両面だけでなく、微細流路３４の内壁面にも形成される。そして、当該酸化チタンベース３５にアナターゼ型酸化チタン粒子３６が焼き付けられて光触媒層３７が形成されている。陽極酸化処理及び焼き付け処理により、チタン箔３３にはひび割れ３８が多数出現する。酸化チタンベース３５の膜厚は例えば７０〜１５０ｎｍであり、酸化チタンベース３５及び光触媒層３７はひび割れ３８を覆って形成されている。陽極酸化被膜による酸化チタンベース３５と光触媒層３７は、酸化チタン同士が結合することでその結合性が極めて強く、光触媒層３７が剥がれ難くなっている。さらに、微細流路３４の表面が複雑な凹凸形状をなし、ミクロンオーダーの微細なひび割れを有するので、光触媒層３７の表面積が増え、触媒による分解効率が格段に向上する。また、紫外線を照射したときに光触媒層３７の表面及び酸化チタンベース３５との界面で乱反射・光散乱が起き、紫外線を効率良く使用できる。
【００２２】
図１に戻る。収納容器４０は有機ガス供給部１０、紫外線照射部２０及び光触媒部３０を収納する。また、蚊が収納容器４０の中の炭酸ガス及び乳酸に惹かれて中に入るための窓４１を有する。窓４１は収納容器４０の側面のほぼ全方向に、およそ有機ガス供給部１０と紫外線照射部２０の間の高さに設けられる。また、収納容器４０にはアルコール漕１２及び乳酸漕１３を出し入れする扉４２が取り付けられている。蚊選別ネット５０は、収納容器４０の窓４１を覆うように設置される。蚊選別ネット５０は、蚊が通れる寸法より少し大きい寸法の網目を有する。殆どの蚊が細長い体系で１５ｍｍ以下であり、羽をすぼめて通ることも可能であることから、蚊が通れる寸法より少し大きい寸法とは、例えば１０ｍｍ〜１５ｍｍとする。これにより、蛾等の大きな昆虫が蚊の侵入を妨げることが大いに減少する。捕集部６０は収納容器４０に侵入した蚊を捕集する。捕集部６０は、粘着シート６１又は吸引器を有する。本実施例では粘着シート６１が用いられる。蚊選別ネット５０の内側に、多数の帯状の粘着シート６１が蚊選別ネット５０に沿って上下方向に取り付けられる。そして、蚊選別ネット５０を通過して収納容器４０の中に侵入し、粘着シート６１の片面又は両面に塗布された粘着層に触れた蚊を、粘着層に粘着して捕集する。蚊選別ネット５０を収納容器４０の窓４１に着脱可能にして、窓４１から取り外すことにより、蚊を捕集した粘着シート６１を回収し、新しい粘着シート６１を取り付ける。また、粘着シート６１はその上下端を例えばフック、クリップ、マグネット等の止め具６４を用いて着脱可能に収納容器４０内に取り付けられる。
【００２３】
電気供給部７０は紫外線ＬＥＤ２１及び制御部９０に電気を供給する。電気供給部７０は例えば収納容器４０の中のシート置台６５の下の空間で、アルコール漕１２及び乳酸漕１３の残りの空間に設置される。本実施例では電気供給部７０を商用電源に接続し、交流１００Ｖを紫外線ＬＥＤ２１に必要な例えば直流約４Ｖ、約６Ｖ、約８Ｖ等に変換する。
制御部７２は本実施例では操作盤からなる。操作盤７２は収納容器４０の外側に設けられる。操作盤７２には電気供給部７０のスイッチ（紫外線ＬＥＤの点灯／消灯を兼ねる）と紫外線ＬＥＤ２１の光量調節ダイヤルが取り付けられており、紫外線ＬＥＤ２１の点灯／消灯とその光量の調節が可能である。また、操作盤７２にはアルコール漕１２及び乳酸漕１３の残量を示すメータが取り付けられる。酒及び／又は牛乳の残量が少なくなった時には、扉４２を開けて補充する。
【００２４】
〔作用〕
次に、蚊取り器１の作用について説明する。第１の布製シート１１Ａはアルコール漕１２から酒を吸い上げて、アルコールを揮発する。第２の布製シート１１Ｂは乳酸漕１３から牛乳を吸い上げて、乳酸を揮発する。紫外線ＬＥＤから波長３８８ｎｍ以下の紫外線をアナターゼ型酸化チタン光触媒シート３１に照射すると、ヒドロキシルラジカル（ＯＨラジカル）、スーパーオキサイドアニオン、正孔、電子等の活性種を発生する。これらの活性種は第１の繊維質シート１１Ａから揮発したアルコールを炭酸ガス及び水に分解する。
炭酸ガス及び乳酸に惹かれて蚊が収納容器４０の窓４１に設けられた蚊選別ネット５０を通って蚊が侵入する。収納容器４０内に侵入した蚊が粘着シート６１に触れると、粘着シート６１に捕集される。
【００２５】
アナターゼ型酸化チタンの分解効率は非常に大きいので、蚊の捕集効率が著しく改善された。また、表裏を貫通する多数の微細流路３４が形成されているので、光触媒層３７の表面積が増える。また、紫外線を照射したときに光触媒層３７の表面及び酸化チタンベース３５との界面で乱反射・光散乱が起き、紫外線を効率良く使用できる。これらにより、有機ガスの分解効率が格段に向上し、蚊の捕集効率も格段に向上する。また、陽極酸化被膜による酸化チタンベース３５と光触媒層３７は、酸化チタン同士が結合することでその結合性が極めて強く、光触媒層３７が剥がれ難くなっている。このため、蚊取り器１が長寿命になる。
【実施例２】
【００２６】
実施例１では、酸化チタン光触媒シート３１が平板状である例について説明したが、実施例２では、酸化チタン光触媒シート３１Ａが一方向に沿って連続する起伏が波板状に形成された例について説明する。
【００２７】
図３に実施例２における酸化チタン光触媒シート３１Ａの構成例を示す。陽極酸化処理の前又は後に波板状にプレス加工して形成される。波板状とすることにより、平板状よりさらに光触媒層３７の表面積が増えるので、光触媒効果を高めることができる。その他の構成は実施例１と同様であり、実施例１と同様の効果を奏する。
【実施例３】
【００２８】
実施例１では、酸化チタン光触媒シート３１が非周期性海綿構造を有する例について説明したが、実施例３では、非周期性海綿構造に代えて、酸化チタン光触媒シート３１Ｂが切込部位を曲げ加工して開口された多数の流通口４５と、ガスが流通口４５を流通する被処理流体と衝突する位置に曲げ加工された切込部位からなる多数の衝突片４６を有する例について説明する。
【００２９】
図４に実施例２における酸化チタン光触媒シート３１Ｂの構成例を示す。図４（Ａ）は正面図、図４（Ｂ）はその縦断面図、図４（Ｃ）は拡大斜視図、図４（Ｄ）はＡ−Ａ断面図である。陽極酸化処理の前に切込部位を作成し、チタン箔３３Ｂを曲げ加工する。酸化チタン光触媒シート３１Ｂは切込部位を曲げ加工して開口された多数の流通口４５と、有機ガスが流通口４５を流通する被処理流体と衝突する位置に曲げ加工された切込部位からなる多数の衝突片４６を有している。これにより、光触媒シート３１Ｂの片側から反対側へ透過する有機ガスが衝突流路４７Ａ，４７Ｂを通過する際に衝突片４６に衝突されて、方向を変えながら光触媒シート３１Ｂの反対側へ透過されることになる。すなわち、流通口４５側から衝突片４６側に流れる有機ガスは、衝突片４６に衝突して光触媒シート３１Ｂの反対面側に拡散される。衝突片４６側から流通口４５側に流れる有機ガスは、衝突片４６に衝突してこれを回り込むように流れて流通口４５から光触媒シート３１Ｂの反対面側に透過される。これにより、有機ガスは光触媒シート３１Ｂに沿って流れ、光触媒層３７に触れる時間が多くなり、光触媒による有機ガスの分解効果を増加させる。さらに、光触媒シート３１Ｂの表面はサンドブラスト等により粗面化された凹凸面４４となっており、その表層に陽極酸化被膜３９が形成され、さらにその表面に、アナターゼ型酸化チタン粒子３６が付着焼成された光触媒層３７が形成されている。
酸化チタン光触媒シート３１Ｂ以外の構成は実施例１と同様であり、実施例１と同様な効果を奏する。
【実施例４】
【００３０】
図５に実施例４における酸化チタン光触媒を用いた蚊取り器１Ａの構成例を概略的に示す。以上の実施例では捕集部が粘着シート６１を有する例を説明したが、実施例４では捕集部が吸引器６２を有する例を説明する。吸引器６２は例えば収納容器４０の窓４１近くの一方向に設置され、その後方に位置する蚊選別ネット５０の部分を取り外して補虫ネット６３を取り付ける。吸引器６２のファンを回転させて収納容器４０の内部にいる蚊を吸引し、補虫ネット６３中に放出する。補中ネット６３の袋口を紐で縛って蚊を捕集する。
捕集部６０及び蚊選別ネット５０以外の構成は実施例１と同様であり、実施例１と同様な効果を奏する。
【実施例５】
【００３１】
図６に実施例５における酸化チタン光触媒を用いた蚊取り器１Ｂの構成例を概略的に示す。以上の実施例では電源に商用電源を用いる例を説明したが、実施例５では、蚊取り器１Ｂの電源に風車７１を用いる例について説明する。屋外等の商用電源に接続困難な場所で使用する際に便宜である。
現在、プロペラ径２０ｃｍ、出力１４．５Ｖ，最大出力２．８Ｗの超小型風力発電機が市販されている。例えば紫外線ＬＥＤ１個当たりの順電圧４Ｖ，光出力１５ｍＷなので、かかる超小型風力発電機も電源に使用可能である。かかる超小型力発電機の風車７１を風況の良い所に設置する。風車７１は蚊取り器１Ｂ周辺の空気の流れに影響を与えないように蚊取り器１Ｂから離れた場所に設置するのが好ましい。また、常時電力を供給できるように、風車７１に蓄電器を接続して使用することが好ましい。風車の代わりに太陽電池を用いても良い。太陽電池も約６０ｃｍ×４０ｃｍで最大電力３０Ｗ，１７．０Ｖの小型モジュールが市販されており、電源に使用可能である。これらの電源を電気供給部７０に接続し、電気供給部７０にて紫外線ＬＥＤ２１に適する電圧に変換して使用する。また、常時電力を供給できるように、太陽電池に蓄電器を接続して使用することが好ましい。また、風車又は太陽電池に代えて電池を使用しても良い。電池を直列連結して紫外線ＬＥＤ２１に適する電圧にして供給する。天候や風に依存せず常時安定して電力を供給でき、任意の場所に持ち運んで使用する場合や商用電源に接続困難な場所で使用する場合に便宜である。
電源と電気供給部以外の構成は実施例１と同様であり、実施例１と同様な効果を奏する。
【実施例６】
【００３２】
以上の実施例では、蚊の誘引材料としてアルコールと乳酸を使用する例を説明したが、実施例６では、この成分に蚊の誘引材料を追加する例を説明する。蚊は炭酸ガスを好む。
さらに炭酸ガスに乳酸を混合すると、蚊を良く誘引する。乳酸は、Ｄ−乳酸よりＬ−乳酸の方が良く誘引する。さらに、含硫アミノ酸、メチオニン、シスチン、システインが高い誘引性を示すとの報告もある。また、棲息水の臭いにも誘引される。また、蜂蜜、マテバシイの花にも誘引される。したがって、これら誘引材料、例えば棲息水を収納容器内で揮発させると、一層蚊を誘引できる。
その他の構成は実施例１と同様であり、実施例１と同様な効果を奏する。
【実施例７】
【００３３】
以上の実施例では、紫外線照射部２０として紫外線ＬＥＤを用いる例を説明したが、本実施例では直管型紫外線ランプを用いる例を説明する。
５８ｃｍ長、２０Ｗ型の直管型の紫外線ＬＥＤランプ等が市販されている。このような直管型を用いると、紫外線照射部２０は直管型のランプを、長手方向を水平にして光触媒シート３１の上方に設置する。２本平行に並べて設置しても良い。また、ボードを用いず、収納容器４０に直接又は間接的に取り付けても良い。また、直管型のＬＥＤランプの代わりに直管型の紫外線蛍光灯を用いても良い。
紫外線照射部２０以外の構成は実施例１と同様であり、実施例１と同様な効果を奏する。
【実施例８】
【００３４】
以上の実施例では、紫外線照射部２０を光触媒シート３１の上方に設置する例を説明したが、実施例８では蚊取り器を円筒型とし、円筒の中心軸（鉛直線上）に直管型の紫外線ランプを設置する例を説明する。
【００３５】
図７に実施例８における酸化チタン光触媒を用いた蚊取り器１Ｃの構成例を示す。紫外線照射部２０の直管型の紫外線ランプ２２を円筒の中心軸上に配置する。直管型の紫外線ランプ２２を中心にして、光触媒部３０のアナターゼ型酸化チタン光触媒シート３１を同心円状に円周方向に配置する。光触媒シート３１の周囲に、有機ガス供給部１０の繊維質シート１１を同心円状に配置する。第１の繊維質シート１１Ａの下側（一端）の部分は第１の有機液伝送具１４Ａとして下に垂らされアルコール漕１２内の酒に浸漬される。第２の繊維質シート１１Ｂの下側（一端）の部分は第２の有機液伝送具１４Ｂとして下に垂らされ乳酸漕１３内の牛乳に浸漬される。繊維質シート１１の周囲に収納容器４０を、側面を同心円状に配置する。収納容器４０の側面にはほぼ全方向に窓４１が設けられ、収納容器４０の窓４１を覆うように蚊選別ネット５０が設置される。窓４１は例えばアルコール漕１２及び乳酸漕１３より上側の高さで、収納容器４０の蓋の下側に設けられる。蚊選別ネット５０の内側に、多数の帯状の粘着シート６１が蚊選別ネット５０に沿って上下方向に取り付けられる。
このように配置すれば円筒型の蚊取り器１Ｃを構成できる。各部の配置は異なるが、各部の材料は実施例１と同様であり、実施例１と同様な効果を奏する。
【００３６】
例えば、以上の実施例では、有機ガス供給部１０において、繊維質シート１１にアルコール及び乳酸を導くのに有機液伝送具１４として布製シートの一端を使用する例を説明したが、有機液伝送具１４として点滴針を用いても良い。すなわち、アルコール漕及び乳酸漕として、繊維質シート１１の上方にアルコール点滴ビン及び乳酸点滴ビンを置き、アルコール点滴ビン及び乳酸点滴ビンから点滴針を通して繊維質シート１１にアルコール及び乳酸を滴下しても良い。また、以上の実施例では繊維質シート１１として布製シートを使用する例を説明したが、繊維質シートとして紙製シートを使用しても良い。また、以上の実施例では、有機液としてアルコール及び乳酸を共に使用する例を説明したが、乳酸に代えて乳酸エチル（２０℃での蒸気圧は０．００３５５気圧）を使用しても良く、乳酸を省くことも可能である。その他、光触媒シート３１や繊維質シート１１の寸法、形状、蚊取り器内部の部品の配置等、適宜変更可能である。
【産業上の利用可能性】
【００３７】
本発明は蚊取り器に利用できる。
【符号の説明】
【００３８】
１，１Ａ〜１Ｅ  蚊取り器
１０  有機ガス供給部
１１  繊維質シート
１１Ａ  第１の繊維質シート（第１の布製シート）
１１Ｂ  第２の繊維質シート（第２の布製シート）
１２  アルコール漕
１３  乳酸漕
１４  有機液伝送具
１４Ａ  第１の有機液伝送具（第１の布製シートの一端）
１４Ｂ  第２の有機液伝送具（第２の布製シートの一端）
２０  紫外線照射部
２１  紫外線ＬＥＤ
２２  直管型紫外線ランプ
３０  光触媒部
３１，３１Ａ，３１Ｂ  酸化チタン光触媒シート
３２  スペーサ
３３，３３Ｂ  チタン箔
３４  微細流路
３５  酸化チタンベース
３６  アナターゼ型酸化チタン粒子
３７  光触媒層
３８  ひび割れ
３８Ａ  凹凸面
３９  陽極酸化被膜
４０，４０Ａ  収納容器
４１  窓
４２  扉
４５  流通口
４６  衝突片
４７Ａ，４７Ｂ  衝突流路
５０  蚊選別ネット
６０  捕集部
６１  粘着シート
６２  吸引器
６３  捕虫ネット
６４  止め具
６５  シート置台
７０  電気供給部
７１  風車
７２  制御部（操作盤）
【図１】
2019004886.tif 000003
【図２】
2019004886.tif 000004
【図３】
2019004886.tif 000005
【図４】
2019004886.tif 000006
【図５】
2019004886.tif 000007
【図６】
2019004886.tif 000008
【図７】
2019004886.tif 000009